(57)【要約】【課題】  頁番号を付加できる画像処理装置を提供する。【解決手段】  画像処理装置３５は、画像を読み取って画像データを生成する第１の生成手段３７と、画像に割り当てる頁番号についての頁番号データを生成する第２の生成手段３９と、画像データと頁番号データを基にして画像と頁番号を含む出力画像を生成する第３の生成手段４１と、を備える。【選択図】  図５
2007081641.tif 000002
【特許請求の範囲】
【請求項１】
画像を読み取って画像データを生成する第１の生成手段と、
前記画像に割り当てる頁番号についての頁番号データを生成する第２の生成手段と、
前記画像データと前記頁番号データを基にして前記画像と前記頁番号を含む出力画像を生成する第３の生成手段と、を備える  
ことを特徴とする画像処理装置。
【請求項２】
前記第３の生成手段は、操作者が指定した位置に前記頁番号が配置された前記出力画像を生成する
ことを特徴とする請求項１に記載の画像処理装置。
【請求項３】
前記第３の生成手段は、操作者が入力した文字、記号又はこれらの結合を含む前記出力画像を生成する
ことを特徴とする請求項１又は２に記載の画像処理装置。
【発明の詳細な説明】
【技術分野】
【０００１】
本発明は、例えば、コピー機やスキャナに適用される画像処理装置に関する。
【背景技術】
【０００２】
複数のファイルをプリントアウトして一つの文書として管理する場合、通し番号で印刷できれば便利である。例えば、頁数３のファイルと頁数２のファイルをプリントアウトすると、一枚目に頁番号「１」、二枚目に頁番号「２」、三枚目に頁番号「３」、四枚目に頁番号「４」、五枚目に頁番号「５」と印刷するのである。これを実現できるプリンタが例えば特許文献１に開示されている。
【特許文献１】特開２００４−１１０５９５号公報
【発明の開示】
【発明が解決しようとする課題】
【０００３】
コピー機やスキャナで本や資料等を読み取り、これを一つの文書として管理する場合にも、頁番号を付加できれば便利である。
【０００４】
本発明の目的は、頁番号を付加できる画像処理装置を提供することである。
【課題を解決するための手段】
【０００５】
本発明に係る画像処理装置は、画像を読み取って画像データを生成する第１の生成手段と、前記画像に割り当てる頁番号についての頁番号データを生成する第２の生成手段と、前記画像データと前記頁番号データを基にして前記画像と前記頁番号を含む出力画像を生成する第３の生成手段と、を備えることを特徴とする。
【０００６】
本発明に係る画像処理装置において、前記第３の生成手段は、操作者が指定した位置に前記頁番号が配置された前記出力画像を生成するようにすることができる。
【０００７】
本発明に係る画像処理装置において、前記第３の生成手段は、操作者が入力した文字、記号又はこれらの結合を含む前記出力画像を生成するようにすることができる。
【発明の効果】
【０００８】
本発明に係る画像処理装置によれば、読み取られた画像に割り当てる頁番号についての頁番号データを生成して、画像と頁番号を含む出力画像を生成している。したがって、本発明に係る画像処理装置をコピー機に備えれば、上記出力画像が記録された用紙が出力される。また、本発明に係る画像処理装置をスキャナに備えれば、上記出力画像を画面に表示することができる。よって、例えば、本や資料等を組み合わせて一つの文書を作成する場合、この文書の頁に通し番号を付すことができる。
【発明を実施するための最良の形態】
【０００９】
本発明の実施形態について図面を用いて説明する。図１は、本実施形態に係るデジタル複合機１の構成を示すブロック図である。デジタル複合機１は、コピー、プリンタ、スキャナ及びファクシミリの機能を有する。
【００１０】
デジタル複合機１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５等が相互にバス２７で接続された構成を有する。制御部３は、例えばＣＰＵにより実現されており、デジタル複合機１を構成する上記ハードウェアを制御すると共にデジタル複合機１の動作に必要なソフトウェアを実行する。
【００１１】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データをプリントアウトする。
【００１２】
表示部９は、デジタル複合機１の動作状態、相手先名、各種設定内容等を表示する。表示部９は、ＬＣＤ、ＣＲＴ等で実現される。操作部１１は、デジタル複合機１の操作に必要なキー（テンキー、短縮キー、ワンタッチキー、スタートキー、リセットキー、各種のファンクションキー等）を備える。
【００１３】
モデム１３は、通常のファクシミリ通信用のファックスモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００１４】
ＲＯＭ１７は、デジタル複合機１の動作に必要なソフトウェアを記憶している。ＲＡＭ１９は、ＳＲＡＭ、ＤＲＡＭ、フラッシュメモリ等により実現されており、ソフトウェアの実行時に発生するデータを一時的に記憶する。
【００１５】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、デジタル複合機１がＬＡＮと通信可能に接続するインターフェースである。
【００１６】
本実施形態に係る画像処理装置は、デジタル複合機１に組み込まれている。本実施形態の一つの特徴は、デジタル複合機１をコピー機やスキャナとして利用する際に、読み取られた画像とこの画像に割り当てられた頁番号を含む出力画像を上記画像処理装置によって生成することである。この特徴について、コピーを例にして図１〜図３を用いて説明する。図２は、本実施形態に係る画像処理装置を用いたコピーの一例を説明する図である。図３は、本実施形態に係る画像処理装置を用いたコピー操作の一例のフローチャートである。
【００１７】
図２に示すように、本実施形態によれば、三枚の原稿３１からなる資料Ｄ１と二枚の原稿３１からなる資料Ｄ２を順にコピーして、一つの文書Ｄ３を作成すると、文書Ｄ３を構成する五枚の用紙３３に「１」から始まる通し番号が付される。
【００１８】
このフローを図３で説明する。操作者は、操作部１１のテンキーを押して頁番号の初期値を入力する（ステップＳ１）。ここでは、「１」を入力する。そして、原稿をセットする（ステップＳ３）。ここでは、画像読取部５に設けられたＡＤＦ（原稿自動送り装置）に、資料Ｄ１の三枚の原稿３１をセットする。
【００１９】
操作者は、操作部１１のスタートキーを押す（ステップＳ５）。これにより、原稿の画像が読み取られて、この画像とこの画像に割り当てられた頁番号を含む出力画像が記録された用紙が画像記録部７から出力される（ステップＳ７）。次に、この原稿が最後の原稿であるか判断される（ステップＳ９）。最後の原稿でない場合、現在の頁番号を＋１インクリメントしてステップＳ７に戻り、この新たな頁番号を次の原稿の画像に割り当てて、これらを含む出力画像が記録された用紙が画像記録部７から出力される。
【００２０】
ここでは、一枚目の原稿３１の画像Ａ、二枚目の原稿３１の画像Ｂ、三枚目の原稿３１の画像Ｃが順に読み取られて、画像Ａと頁番号「１」を含む出力画像が記録された用紙３３、画像Ｂと頁番号「２」を含む出力画像が記録された用紙３３、画像Ｃと頁番号「３」を含む出力画像Ｃが記録された用紙３３が出力される。
【００２１】
ステップＳ９で最後の原稿と判断されると、続けてコピーする別の資料があるか判断される（ステップＳ１１）。別の資料がある場合、ステップＳ３に戻る。ここでは、資料Ｄ２があるので、資料Ｄ２の二枚の原稿３１をセットする。スタートキーが押されると（ステップＳ５）、現在の頁番号が＋１インクリメントされて、ステップＳ７，Ｓ９の処理が実行される。これにより、一枚目の原稿３１の画像Ｘ、二枚目の原稿３１の画像Ｙが順に読み取られて、画像Ｘと頁番号「４」を含む出力画像が記録された用紙３３、画像Ｙと頁番号「５」を含む出力画像が記録された用紙３３が出力される。以上のようにして、文書Ｄ３が作成される。
【００２２】
なお、画像の読み取りにＡＤＦを使わずに、コピー毎に原稿をガラス面に置く場合は、ステップＳ９，Ｓ１１がなくなり、ステップＳ７からステップＳ３に戻り、次の原稿をセットする。そしてスタートキーを押すと（ステップＳ５）、頁番号が＋１インクリメントされ、この新たな頁番号と次の原稿の画像を含む出力画像が生成される。
【００２３】
ステップＳ１で初期値として「１」を入力したが、「１」以外の値でもよい。文書Ｄ３を例に説明する。例えば二枚の原稿からなる新たな資料を後から追加して、文書Ｄ３の構成要素にする場合、新たな資料の一枚目の原稿の頁番号として「６」を入力する。これにより、一枚目の原稿の画像と頁番号「６」を含む出力画像、二枚目の原稿の画像と頁番号「７」を含む出力画像が、それぞれ記録された用紙が出力される。よって、新たな資料を後から（つまり、リセットされた後に）文書Ｄ３に追加しても、文書Ｄ３の頁に通し番号を付すことができる。
【００２４】
同じ原稿を複数コピーする場合、その枚数分だけインクリメントしないで出力画像を生成する処理がなされる。これにより、同じ原稿（画像）には同じ頁番号が割り当てられる。
【００２５】
次に、読み取られた画像とこの画像に割り当てられた頁番号を含む出力画像が生成される仕組みについて、画像Ａと頁番号「１」を含む出力画像を例にして説明する。図４はこれを説明する図である。図４（ａ）は画像ＡデータのビットマップメモリＭへの展開を示し、図４（ｂ）は頁番号１データのビットマップメモリＭへの展開を示している。
【００２６】
本実施形態では、図４（ｃ）に示すように、画像Ａデータと頁番号１データをオア処理して、ビットマップメモリＭに展開している。これにより、画像Ａと頁番号「１」を含む出力画像を生成することができる。
【００２７】
次に、本実施形態に係る画像処理装置の機能ブロックを説明する。図５はこれを説明する図である。画像処理装置３５の第１の生成手段３７は、画像を読み取って画像データを生成する。その機能は、図１の画像読取部５により実現される。第２の生成手段３９は、読み取られた画像に割り当てる頁番号についての頁番号データを生成する。その機能は、制御部３やＲＡＭ１９等により実現される。
【００２８】
第３の生成手段４１には、第１の生成手段３７からの画像データと第２の生成手段３９からの頁番号データが入力する。これらのデータを基にして、第３の生成手段４１は画像と頁番号を含む出力画像を生成する。第３の生成手段４１の機能は、制御部３、ＲＡＭ１９、画像メモリ２１等により実現される。画像処理装置３５をコピー機に適用すれば、画像記録部７から出力画像が出力される。一方、画像処理装置３５をスキャナに適用すれば、ＬＡＮインターフェース２５を介して接続されているＰＣ（図示せず）のディスプレイに出力画像が表示される。
【００２９】
以上説明したように、本実施形態に係る画像処理装置３５によれば、読み取られた画像に割り当てる頁番号のデータを生成して、画像と頁番号を含む出力画像を生成している。したがって、画像処理装置３５をコピー機に適用すれば、出力画像が記録された用紙が出力される。また、画像処理装置３５をスキャナに適用すれば、出力画像を表示することができる。よって、本や資料等を組み合わせて一つの文書を作成する場合、この文書の頁に通し番号を付すことができる。
【００３０】
ところで、図２に示す資料Ｄ１，Ｄ２の原稿３１の下方に頁番号が最初から付されていると、文書Ｄ３の頁番号と重なり、識別できなくなる。そこで、操作者が図１の操作部１１のキーを押して頁番号の位置を指定することにより、図５の第３の生成手段４１は上記位置に頁番号が配置された出力画像を生成する。
【００３１】
例えば、頁番号が上方に位置するように指定されると、図６に示すように、文書Ｄ３を構成する各用紙３３の上方に頁番号が配置される。これにより、頁番号の重なった表示を避けることができる。
【００３２】
同じ用紙３３の上方と下方に頁番号が付されていると、いずれが文書Ｄ３の頁番号か分からない。そこで、操作者が操作部１１のキーを押して、文字、記号又はこれらの組み合わせにより、文書Ｄ３の名称等を入力すると、第３の生成手段４１は、これを含む出力画像を生成する。例えば、「（会議資料）」と入力すると、このデータ、画像データ、頁番号データがオア処理されて、ビットマップメモリに展開される。これにより、図７に示すように頁番号の隣に「（会議資料）」が配置されて記録された用紙３３が出力される。このように、頁番号に加えて文字等を付加することにより、最初から存在する頁番号と文書Ｄ３の頁に付与された頁番号とを区別できるようにすることができる。
【図面の簡単な説明】
【００３３】
【図１】本実施形態に係るデジタル複合機の構成を示すブロック図である。
【図２】本実施形態に係る画像処理装置を用いたコピーの一例を説明する図である。
【図３】本実施形態に係る画像処理装置を用いたコピー操作の一例のフローチャートである。
【図４】本実施形態に係る画像処理装置おいて、読み取られた画像とこの画像に割り当てられた頁番号を含む出力画像が生成される仕組みを説明する図である。
【図５】本実施形態に係る画像処理装置の機能ブロック図である。
【図６】本実施形態に係る画像処理装置を用いたコピーの他の例を説明する図である。
【図７】本実施形態に係る画像処理装置を用いたコピーのさらに他の例を説明する図である。
【符号の説明】
【００３４】
１・・・デジタル複合機、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・バス、３１・・・原稿、３３・・・用紙、３５・・・画像処理装置、３７・・・第１の生成手段、３９・・・第２の生成手段、４１・・・第３の生成手段、Ｌ・・・公衆電話回線、Ｄ１，Ｄ２・・・資料、Ｄ３・・・文書、Ｍ・・・ビットマップメモリ
【図１】
2007081641.tif 000003
【図２】
2007081641.tif 000004
【図３】
2007081641.tif 000005
【図４】
2007081641.tif 000006
【図５】
2007081641.tif 000007
【図６】
2007081641.tif 000008
【図７】
2007081641.tif 000009